(57)【要約】【課題】従来の一般的な使い捨てカイロに芳香成分や生薬成分等の香り成分に基づく機能を付与させた香り付き使い捨てカイロの提供。【課題の解決手段】鉄粉、活性炭、塩類、吸水性樹脂及び水を含む発熱組成物を、少なくともその一部が通気性を有する収納袋に封入してなる使い捨てカイロにおいて、前記収納袋に２５０〜４００℃の範囲に沸点を有する香り成分を付与させた香り付き使い捨てカイロ。その香り成分としては、ジンゲロン、β−カリオフィレン、デカノイルアセトアルデヒド、ガラクソリド、ムスクケトン、エチレンブラシレート、メチルアトラレート、トリシクロデセニルアセテート、オレンジャークリスタル、アンブロキサン、キャシュメラン、カロン、ヘリオトロピン、インドールアロマ、インドール、メチルセドリルケトン、メチルβ−ナフチルケトン、ローズフェノン、クマリン、スチラックスレジノイド、及びイソ−イ−スーパー（７−アセチル−１，２，３，４，５，６，７，８−オクタヒドロ−１，１，６，７−テトラメチルナフタレン）から選ばれた少なくとも１種であることが好ましい。【選択図】なし【特許請求の範囲】
【請求項１】
鉄粉、活性炭、塩類、吸水性樹脂及び水を含む発熱組成物を、少なくともその一部が通気性を有する収納袋に封入してなる使い捨てカイロにおいて、
前記収納袋に２５０〜４００℃の範囲に沸点を有する香り成分を付与させたことを特徴とする香り付き使い捨てカイロ。
【請求項２】
前記２５０〜４００℃の範囲に沸点を有する香り成分が、ジンゲロン、β−カリオフィレン、デカノイルアセトアルデヒド、バニリン、ガラクソリド、ムスクケトン、エチレンブラシレート、メチルアトラレート、トリシクロデセニルアセテート、オレンジャークリスタル、アンブロキサン、キャシュメラン、カロン、ヘリオトロピン、インドールアロマ、インドール、メチルセドリルケトン、メチルβ−ナフチルケトン、ローズフェノン、クマリン、スチラックスレジノイド、及びイソ−イ−スーパー（７−アセチル−１，２，３，４，５，６，７，８−オクタヒドロ−１，１，６，７−テトラメチルナフタレン）から選ばれた少なくとも１種であることを特徴とする請求項１に記載の香り付き使い捨てカイロ。
【請求項３】
前記収納袋が、多孔質フィルム、もしくはこれに不織布又は織布を積層したものであることを特徴とする請求項１又は２に記載の香り付き使い捨てカイロ。
【請求項４】
前記多孔質フィルムの透湿度が１００〜２０００ｇ／ｍ２／２４ｈで、且つ透気度が２０００〜２５０００秒／１００ｃｍ３の範囲であることを特徴とする請求項３に記載の香り付き使い捨てカイロ。
【発明の詳細な説明】
【技術分野】
【０００１】
本発明は、使い捨てカイロの改良に関するものである。
【背景技術】
【０００２】
鉄粉、活性炭、塩類、吸水性樹脂及び水を含む発熱組成物は、点火を必要とせず空気と接触するだけで簡便に発熱して暖が得られ利便性に優れることから、上記発熱組成物を通気性を有する収納袋に封入した使い捨てカイロが広く普及している。
一方、近年の香りブームや健康志向を反映して、使い捨てカイロの発熱組成物中、もしくは収納袋に芳香成分や生薬成分等を担持させ暖房以外の機能を付与する試みもいくつか提案されている。例えば、特開昭６１−１７９１４９号公報）には、上記発熱組成物と共にショウガ粉粒体を通気性内袋に収納することによって、暖房用具として有用のみならず、ショウガの薬理作用により肩こりや腰痛等を緩和できうることが記載されている。しかしながら、発熱組成物中に芳香成分や生薬成分等を混入させる方法では、使い捨てカイロの発熱中に、薬効を奏し得る揮散性の成分が収納袋内に生じても活性炭や吸水性樹脂等に吸着して十分な効果を発揮し得ない可能性が高い。
【０００３】
そこで、例えば、特許文献２（特開２００１−２１８８１６号公報）や特許文献３（実開平２−６５９１０号公報）は、芳香成分や生薬成分等を発熱組成物中ではなく、収納袋に担持させた使い捨てカイロを開示しているが、一般的な記述に留まり、満足のいく程度にまで暖房以外の機能が付与されたものは未だない。これは、芳香成分や生薬成分等が効果を発揮するためには、特にそれらの揮散性成分（以降、香り成分と略称）の性状と使い捨てカイロの発熱性能や収納袋の仕様等を良好にマッチさせる必要があるにも拘わらず、これまで当該要件の相互関係等について十分検討されて来なかったことによるものと考えられる。
【０００４】
ところで、使い捨てカイロの発熱性能としては、主に発熱の立ち上がり速度、最高温度及び発熱の持続時間の３項目につき検査される。このうち発熱の持続時間は、重要なファクターであり、暖房のみを目的とする使い捨てカイロでは１０〜１４時間程度が一般的である。一方、特許文献４（特許第４７８６３４９号公報）には、温熱体に芳香成分や生薬成分等を用いることができ、発熱の持続時間を数十分から２時間程度に設定したタッチセラピー型温熱刺激術用温熱刺激用具が提案されているが、あくまで医療用途向けに限られている。このように、一般的な使い捨てカイロに対して、芳香成分や生薬成分等の香り成分に基づく機能を付与するに際しては、上記種々要件の組合わせを繰り返し試験する必要があり、未だ実用的な製品の実現に至っていないのが現状である。
【先行技術文献】
【特許文献】
【０００５】
【特許文献１】特開昭６１−１７９１４９号公報
【特許文献２】特開２００１−２１８８１６号公報
【特許文献３】実開平２−６５９１０号公報
【特許文献４】特許第４７８６３４９号公報
【発明の概要】
【発明が解決しようとする課題】
【０００６】
本発明は、従来の一般的な使い捨てカイロに芳香成分や生薬成分等の香り成分に基づく機能を付与させた香り付き使い捨てカイロを提供することを目的とする。
【課題を解決するための手段】
【０００７】
本発明は、以下の構成が上記目的を達成するために優れた効果を奏することを見出したものである。
（１）鉄粉、活性炭、塩類、吸水性樹脂及び水を含む発熱組成物を、少なくともその一部が通気性を有する収納袋に封入してなる使い捨てカイロにおいて、
前記収納袋に２５０〜４００℃の範囲に沸点を有する香り成分を付与させた香り付き使い捨てカイロ。
（２）前記２５０〜４００℃の範囲に沸点を有する香り成分が、ジンゲロン、β−カリオフィレン、デカノイルアセトアルデヒド、バニリン、シトロネラール、ピペリトン、酢酸ゲラニル、ガラクソリド、ムスクケトン、エチレンブラシレート、メチルアトラレート、トリシクロデセニルアセテート、オレンジャークリスタル、アンブロキサン、キャシュメラン、カロン、ヘリオトロピン、インドールアロマ、インドール、メチルセドリルケトン、メチルβ−ナフチルケトン、ローズフェノン、クマリン、スチラックスレジノイド、及びイソ−イ−スーパー（７−アセチル−１，２，３，４，５，６，７，８−オクタヒドロ−１，１，６，７−テトラメチルナフタレン）から選ばれた少なくとも１種である（１）に記載の香り付き使い捨てカイロ。
（３）前記収納袋が、多孔質フィルム、もしくはこれに不織布又は織布を積層したものである（１）又は（２）に記載の香り付き使い捨てカイロ。
（４）前記多孔質フィルムの透湿度が１００〜２０００ｇ／ｍ２／２４ｈで、且つ透気度が２０００〜２５０００秒／１００ｃｍ３の範囲である（３）に記載の香り付き使い捨てカイロ。
【発明の効果】
【０００８】
本発明の香り付き使い捨てカイロは、従来の一般的な使い捨てカイロの発熱性能を保持すると共に、芳香成分や生薬成分等の香り成分に基づく有用な機能を付与させたので極めて実用的である。
【発明を実施するための形態】
【０００９】
本発明で用いる発熱組成物の成分、組成は何ら限定されず、従来知られているもののいずれも使用できる。発熱組成物を構成する鉄粉は、酸化発熱反応に関与する主成分で、還元鉄、鋳鉄等であり、粉状のものが一般的であるが、粒状、繊維状等のものを混在させてもよい。また、活性炭、塩類は鉄粉の酸化反応促進剤として必要で、塩類としては、塩化ナトリウム、塩化カリウム、塩化マグネシウム等をあげることができる。
【００１０】
吸水性樹脂としては、保水能が高く、全体をさらさらの状態に保ち得るものが製造上好ましい。例えば、イソブチレン−無水マレイン酸共重合体、ポリビニルアルコール−アクリル酸共重合体、デンプン−アクリル酸塩グラフト共重合体、ポリアクリル酸塩架橋物、アクリル酸塩−アクリル酸エステル共重合体、アクリル酸塩−アクリルアミド共重合体、ポリアクリルニトリル架橋物の加水分解物等があげられるが、これらに限定されるものではない。もちろん、保水剤として木粉、パーライト、バーミキュライトのような基材を併用してもよい。
【００１１】
本発明で用いる発熱組成物には、前記各成分のほか、アルキル金属の弱酸塩、アルカリ土類金属の弱酸塩、メタケイ酸塩等の水素発生抑制剤、増量剤、α−デンプン等の内容物偏り防止剤、あるいはジルコニウム、セラミックス等の物質を適宜添加してもよい。
但し、後記する香り成分の効果が発熱の持続時間（１０〜１８時間程度）に相応して継続するように、発熱の最高温度を７０度以下に設定し、発熱組成物の各成分の配合比率や充填量等を決定するのが好ましい。
【００１２】
発熱組成物を封入する収納袋において、少なくともその一部に通気性を付与する手段としては、多孔質フィルムを使用するか、又は不織布にポリエチレン等のシーラントを重層したものに針孔を開ける方法が考えられる。前者の多孔質フィルムタイプの場合、使用中袋内が減圧状態に保たれ、後者の針孔タイプに比べて内容物の偏りを生じにくいというメリットを有することから、この多孔質フィルムの単層もしくは積層体、又はそれらと不織布、織布、紙等との積層品が使い捨てカイロの包材として広く使用されている。本発明においても、この多孔質フィルムタイプが使い易く、発熱性能はもちろんのこと、芳香成分や生薬成分等との組合わせを検証すると、その透湿度は１００〜２０００ｇ／ｍ２／２４ｈで、且つ透気度は２０００〜２５０００秒／１００ｃｍ３の範囲に設定されるのが好ましかった。
【００１３】
一方、本発明では、後者の穿針を設けた不織布素材も採用可能である。不織布素材とは、不織布にシーラントとしてポリエチレン、ポリプロピレン、ＥＶＡ等のフィルムを重層した包材で、多孔質フィルムタイプと比べると安価であり、例えばナイロンスパンボンド等を例示できる。不織布素材には、通常１〜数十μの針孔が穿設されるが、発熱の立ち上がり速度をより速めるために、収納袋全面均一に針孔を設けるのではなく、例えば３〜５ｃｍの幅で帯状に集中的に針孔を形成することもできる。この場合、ガーレ通気度測定器による通気度の値が２〜１０秒／３００ｃｃになるように、針孔の孔径や配列決定すればよい。
【００１４】
収納袋のその他の部分は、非通気性の包材で構成されていてもよい。非通気性の包材としては、ポリエチレンフィルム、ポリプロピレンフィルム等の非通気性プラスチックフィルの単層もしくは積層体、又はそれらと不織布、織布、紙等との積層品等をあげることができる。なお、その少なくとも一部に、ゴムなどを主材とする粘着剤層が貼設されてもよい。粘着剤層は、水玉模様や縞模様など適宜の模様を呈してもよく、通常その上面には、使用前の粘着剤層を保護するための剥離紙が被覆される。使用に際しては、剥離紙を剥がし身体や着衣等に接着させて供すればよい。
【００１５】
本発明の香り付き使い捨てカイロは、前記収納袋に２５０〜４００℃の範囲に沸点を有する香り成分を付与させたことに特徴を有する。
このような香り成分は、芳香成分や生薬成分等に含まれる揮散性成分であり、使い捨てカイロの発熱が持続している間、まろやかな「安らぎの香り」、あるいは肩こりや腰痛等の緩和、血行改良などの「薬理作用を期待できる香り」をほのかに醸し出す。具体的には、ジンゲロン、β−カリオフィレン、デカノイルアセトアルデヒド、バニリン、ガラクソリド、ムスクケトン、エチレンブラシレート、メチルアトラレート、トリシクロデセニルアセテート、オレンジャークリスタル、アンブロキサン、キャシュメラン、カロン、ヘリオトロピン、インドールアロマ、インドール、メチルセドリルケトン、メチルβ−ナフチルケトン、ローズフェノン、クマリン、スチラックスレジノイド、イソ−イ−スーパー（７−アセチル−１，２，３，４，５，６，７，８−オクタヒドロ−１，１，６，７−テトラメチルナフタレン）、アセト酢酸−ｍ−キシリダイド、アセト酢酸−ｏ−トルイダイド、アセトシリンゴン、アセチルトリエチルシトレート、ベンゾフェノン、ベンジルカプリレート、ベンジルシンナメート、ベンジルオイゲノール、ベンジルラウレート、ベンジルメチルチグレート、ベンジルフェニルエーテル、ベンジルフェニルアセテート、ゲラニルアントラニレ−ト、ゲラニルヘキサノエート、ゲラニルシクロペンタノン、ゲラニルフェニルアセテート、イコサン、インダン、シンナミルブチレート、シンナミルフェニルアセテート、シトラールジエチルアセタール、イソアミルベンゾエート、リナリルオクタノエート、１−メンチルサリチレート、シトロネリルアントラニレート、ジメチルフェネチルカルビニルイソブチレート、ジフェニルオキシド、ドデシルブチレート、エチルバニレート、エチルバニリン、メンチルイソバレレート、メトキシエチルフェニルグリシデート、メチル２，４−ジヒドロキシ−３，６−ジメチルベンゾエート、ネロリジルアセテート、ネリルイソバレレート、オクテニルシクロペンタノン、オクチルカプリレート、フェネチルイソアミルエーテル、フェネチルオクタノエート、エチルバニリンアセテート、エチルバニリンプロピレングリコールアセタール、エチルヘキシルパルミテート、オイゲニルベンゾエート、ファルネソール、ファルネシルアセテート、ファルネシルメチルエーテル、ホルムアルデヒドシクロドデシルメチルアセタール、ホルミルエチルテトラメチルテトラリン、フルフリルベンゾエート、γ−ドデカラクトン、フェネチルサリチレート、フェノキシエチルプロピオネート、フェニルベンゾエート、フェニルジスルフィド、サンタリルブチレート、テトラヒドロ−プソイド−イオノン、テオブロミン、バレンセン等が例示され、これらから選ばれた少なくとも１種が用いられる。
【００１６】
なかでも、好ましい香り成分として、ジンゲロン、β−カリオフィレン、デカノイルアセトアルデヒド、ガラクソリド、ムスクケトン、エチレンブラシレート、メチルアトラレート、トリシクロデセニルアセテート、オレンジャークリスタル、アンブロキサン、キャシュメラン、カロン、ヘリオトロピン、インドールアロマ、インドール、メチルセドリルケトン、メチルβ−ナフチルケトン、ローズフェノン、クマリン、スチラックスレジノイド、及びイソ−イ−スーパー（７−アセチル−１，２，３，４，５，６，７，８−オクタヒドロ−１，１，６，７−テトラメチルナフタレン）があげられる。
【００１７】
なお、上記香り成分を含有する精油、生薬等の植物、あるいはそれらの乾燥物（例えば、ヨモギの乾燥物：もぐさ）等も本発明に包含されることは勿論である。例えば、ジンゲロンはショウガ、β−カリオフィレンはヨモギ、また、カジネンはクベバに含まれる香り成分である。
【００１８】
上記香り成分は、含浸、積層等の手段により収納袋に担持されるが、別の保持部材に香り成分を担持させ、これを収納袋の一部又は全面を覆うように一体化させるようにしてもよい。ここで、保持部材としては、繊維、紙、樹脂、ゴム等を紐状、帯状、網状、シート状等に加工したものが使用でき、一体化に際しては収納袋の通気性に支障を及ぼさないように構成される。香り成分の担持量は、収納袋（又は、収納袋＋保持部材）全体量当たり０．０１〜１．０質量％の範囲が適当である。
【００１９】
本発明では、収納袋は１個であっても、複数個、好ましくは２個の縦列する分包から構成されてもよい。かかる分包形態に構成することによって、内容物の偏りが抑制され、ひじ、膝などの屈曲する部位により柔軟にフィットさせ得るとともに、連結部を適宜切り離して、所望の大きさ、形状に変化させて使用することが可能となる。また、容易に分離できるように連結部の中央線に沿ってミシン目を形成させるのがよい。
【００２０】
こうして得られた本発明の香り付き使い捨てカイロは、通常、非通気性の外袋に更に収納され、使用時に該外袋を破袋して使用される。そして、従来の一般的な使い捨てカイロの発熱性能を保持すると共に、安価で使用感に優れ、しかも芳香成分や生薬成分等の香り成分に基づく有用な機能を享受できるので極めて実用的である。
【００２１】
次に、具体的実施例ならびに試験例に基づいて、本発明の香り付き使い捨てカイロを更に詳細に説明するが、本発明はもちろんこれらに限定されるものではない。
【実施例１】
【００２２】
鉄粉９．８ｇ、活性炭０．８ｇ、塩化ナトリウム０．４ｇ、メタケイ酸ナトリウム０．２ｇ、木粉０．５ｇ、吸水性樹脂（イソブチレン−無水マレイン酸共重合体系）０．５ｇ及び水５．８ｇからなる発熱組成物１８ｇを調製した。
片面が通気性の多孔質フィルム（製品名；日東電工製ブレスロン、大きさ；縦１２ｃｍ×横９ｃｍ、透湿度；８００ｇ／ｍ２／２４ｈ、透気度；５３００秒／１００ｃｍ３）で、他面が非通気性のポリエチレンシート（粘着剤層が貼設され、剥離紙にて被覆）からなる収納袋に前記発熱組成物を収納し、５ｍｍ幅を設けて周囲をヒートシールした。一方、ポリエチレン−エチレン酢酸ビニル共重合体シート製保持部材（大きさ；縦３ｃｍ×横３ｃｍ、厚さ：１．０ｍｍ）に、香り成分（ジンゲロン、ガラクソリド及びメチルアトラレートを含む）４０ｍｇを担持させ、これを前述の収納袋の多孔質フィルム側に貼着し、更に全体を非通気性の外袋に収納して本発明の使い捨てカイロを作製した。
【００２３】
得られた本発明の香り付き使い捨てカイロを外袋から取り出した後、剥離紙を剥がし、粘着剤層を下着に貼り付けて使用した。４０℃以上に発熱するまでの時間は約１４分で、その後４０〜７０℃の発熱が約１２時間持続し、その間心地よい芳香を満喫できた。また、ショウガ由来の香り成分・ジンゲロンに基づく血行促進作用を肌で感じることができて極めて実用的であった。
【実施例２】
【００２４】
実施例１に準じ、収納袋の通気性面を表１に示す仕様にて各種香り付き使い捨てカイロを作製した。なお、実施例４については、４ｃｍ幅で帯状に集中的に針孔を設けて通気性部を形成し、その通気度はガーレ通気度測定器を用いて測定された値（秒／３００ｃｃ）である。また、発熱組成物並びに収納袋の非通気性面は実施例１と同様とした。
【００２５】
【表１】
2015053951.tif 000002
【００２６】
表１の各種香り付き使い捨てカイロにつき、下記の発熱性試験並びに使用試験を実施した。表２に試験結果を示す。
（１）発熱の立ち上り温度：ＪＩＳ  Ｓ４１００に基づき、使用開始から４０℃に達するまでの時間を測定し、次の基準で評価した。
○；４分以上１５分未満、△；１５分以上２０分未満、×；２０分以上。
（２）最高温度：測定値の最高温度を記録した。
（ＪＩＳ規格のカイロ；７０℃を超えないことが目安となっている）。
（３）発熱の持続時間：ＪＩＳ  Ｓ４１００に基づき、４０℃を保持する時間を測定し、次の基準で評価した。
○；１０時間以上、△；８時間以上１０時間未満、×；８時間未満。
（４）芳香及び／又は薬効作用感（肩こり等の緩和や血行促進作用など）の持続性
○；１０時間以上、△；６時間以上１０時間未満、×；６時間未満。
【００２７】
【表２】
2015053951.tif 000003
【００２８】
試験の結果、本発明の香り付き使い捨てカイロは、実用的な発熱性能を示し、芳香や血行促進作用等の薬効作用感も満足し得るものであった。なお、収納袋の通気性面としては、不織布に針孔を開けるタイプ（実施例４）よりは多孔質フィルムタイプの方が発熱性能を調整しやすく、また、発熱時間中心地よい芳香や薬効作用感を安定して持続させるうえで、その透湿度は１００〜２０００ｇ／ｍ２／２４ｈで、且つ透気度は２０００〜２５０００秒／１００ｃｍ３の範囲に設定するのが好ましかった。
これに対し、比較例１のように、香り成分の沸点が２５０℃未満の場合、芳香感は持続しなかった。また、薬効成分としてアミグダリンを含有するビワの葉エキスは通常肌に塗って使用されるが、これを使い捨てカイロの収納袋に担持させ下着に貼って使用する方法（比較例２）では、その薬効成分が難揮散性のため薬効作用感を享受できなかった。更に、比較例３の如く、香り成分を発熱組成物に混合させて香り付き使い捨てカイロを製すると、香り成分が変質し、本発明の趣旨に適合しないことが確認された。
【産業上の利用可能性】
【００２９】
本発明の香り付き使い捨てカイロは、医療、美容用途や食品の加温用途などにも利用できる可能性がある。